(57)【要約】【課題】  資材コスト及び製造工程の削減を図ると共に上面部に塵埃がたまらないようにする。【解決手段】  紙おむつ２の挿入側と対向する一側縁部が内側に折り返されて谷部１２が形成されると共に、この一側縁部に隣り合う両側縁部が谷部１２の両側縁部と共に接合されてなり、紙おむつ２が挿入されたとき、谷部１２は、外側に開き、上面部３ｅを形成し、この上面部３ｅの両側に、谷部１２の両端部が接合部１０の両側との間で落ち込んだガセット部４ａ，４ｂを形成し、ガセット部４ａには、手提げ部５が形成されている。【選択図】  図１
2005132433.tif 000002
【特許請求の範囲】
【請求項１】
物品の挿入側と対向する一側縁部が内側に折り返されて谷部が形成されると共に、この一側縁部に隣り合う両側縁部が上記谷部の両側縁部と共に接合されてなり、
物品が挿入されたとき、上記谷部は、外側に開き、略平坦な一の面を形成し、この一の面の両側に、上記一の面より落ち込んだガセット部を形成し、
上記ガセット部の少なくとも一方には、手提げ部が形成されていることを特徴とする包装袋。
【請求項２】
上記ガセット部は、外側のシート体が二重であり、上記手提げ部の両端部は、上記ガセット部の外側の二重のシート体に接合されていることを特徴とする請求項１記載の包装袋。
【請求項３】
上記物品が挿入されたとき、上記谷部が外側に開いて形成された一の面は、上面であり、この上面には、上記物品の取出口を形成する切取部がミシン目によって形成されていることを特徴とする請求項１記載の包装袋。
【請求項４】
長尺のシート体を、谷部を設けるように折り曲げ、次いで、長手方向の所定位置に、上記包装袋の手提げ部の各端部を上記谷部を跨ぐように固定するステップと、
上記シート体を、上記手提げ部の固定位置の一方の側で上記谷部の端部と共に一体的に接合し切断するステップとを有することを特徴とする包装袋の製造方法。
【発明の詳細な説明】
【技術分野】
【０００１】
本発明は、内部に紙おむつ等の物品を収容する包装袋及び包装袋の製造方法に関する。
【背景技術】
【０００２】
一般に、紙おむつ、衛生・生理用品等は、圧縮された状態で包装袋に収容されて搬送され、店頭で展示販売されている。このような包装袋として、下記特許文献１のようなものがある。この特許文献１の包装袋は、複数枚のおむつを収容する略直方体の袋本体を有し、この袋本体の上面外周部にリップ部が設けられ、相対向するリップ部に環状の手提げ部が形成されている。袋本体は、強度の高いリップ部に手提げ部を設けるようにしている。
【０００３】
しかしながら、特許文献１の包装袋のリップ部は、上面部に全周に亘って形成されていることから、袋本体を形成するシート体を多く必要とする。また、リップ部は、上面を囲むように立ち上がっていることから、リップ部に囲まれた上面に塵埃等がたまりやすくなる。更に、リップ部は、上面の外周部より立ち上がって形成されている。包装袋を積み上げたときに積み上げられた包装袋の集合体の中から一又は複数の包装袋を引き抜こうとすると、引き抜こうとする包装袋のリップ部に引っかかり円滑に包装袋を引き抜くことができなくなってしまう。
【０００４】
【特許文献１】特開２００３−９５３３７号公報
【発明の開示】
【発明が解決しようとする課題】
【０００５】
本発明は、以上のような問題点に鑑みてなされたものであり、その目的は、資材コストの削減を図ることができる包装袋を提供することにある。
【０００６】
また、本発明の目的は、上面部に塵埃等がたまりにくくすることができる包装袋を提供することにある。
【０００７】
更に、本発明の目的は、積み上げられた包装袋の集合体の中から所望の収納体を円滑に引き出すことができる包装袋を提供することにある。
【０００８】
更に、本発明の目的は、製造工程の削減を図り、製造効率を向上することができる包装袋の製造方法を提供することにある。
【課題を解決するための手段】
【０００９】
本発明に係る包装袋は、物品の挿入側と対向する一側縁部が内側に折り返されて谷部が形成されると共に、この一側縁部に隣り合う両側縁部が谷部の両側縁部と共に接合されてなり、物品が挿入されたとき、谷部は、外側に開き、略平坦な一の面を形成し、この一の面の両側に、一の面より落ち込んだガセット部を形成し、ガセット部の少なくとも一方には、手提げ部が形成されている。
【００１０】
この包装袋のガセット部は、外側のシート体が二重であり、手提げ部の両端部は、ガセット部の外側の強度の高められた二重のシート体に接合されるようにしてもよい。また、物品が挿入されたとき、谷部が外側に開いて形成された一の面は、上面であり、この上面には、物品の取出口を形成する切取部がミシン目によって形成されるようにしてもよい。
【００１１】
以上のような包装袋は、長尺のシート体を、谷部を設けるように折り曲げ、次いで、長手方向の所定位置に、包装袋の手提げ部の各端部を谷部を跨ぐように固定するステップと、シート体を、上記手提げ部の固定位置の一方の側で上記谷部の端部と共に一体的に接合し切断するステップとにより製造することができる。この製造方法において、手提げ部をシート体の固定位置に固定するステップとシート体を接合し切断するステップは、何れが先であってもよい。
【発明の効果】
【００１２】
本発明によれば、上面部が略平坦に形成されていることから、従来のように上面部に塵埃等がたまることを防止することができる。また、従来のように上面部に手提げ部を取り付けるためのリップ部が設けられていないことから、資材コストの削減を図ることができる。更に、手提げ部の端部は、ガセット部内で固定されることから見栄えが悪くなることを防止することができる。更に、底面が幅広で高さの低い物品の一側面に手提げ部を設けることで、取り扱いを良くすることができる。
【発明を実施するための最良の形態】
【００１３】
以下、本発明を適用した包装袋を図面を参照して説明する。
【００１４】
図１及び図２に示すように、本発明を適用した包装袋１は、折り畳まれた複数枚の使い捨ての乳幼児用又は成人用の紙おむつ２を収納するものであり、ポリエチレン、ポリプロピレン等の可撓性シート体で形成されている。なお、このシート体は、可溶性を有すると共にある程度伸縮性を有するものであるが、これらの材料に限定されるものではない。この包装袋１は、複数枚の紙おむつ２を収納する袋本体３を有する。
【００１５】
ここで、紙おむつ２は、前身頃と後身頃とを股下部を介して一連に形成され、全体が略矩形をなし、長手方向に２つ折り、３つ折り等に折り畳まれている。そして、折り畳まれた紙おむつ２は、圧縮された後、袋本体３に収容するとき、袋本体３の幅方向に積層して袋本体３に収納される。この袋本体３は、圧縮体である紙おむつ２が積層された状態で収納されることから、各面を構成するシート体は、緊張した状態となり、各面が略平面をなす略直方形状となり、前面部３ａ、背面部３ｂ、側面部３ｃ，３ｄ、上面部３ｅ、底面部３ｆが形成される。具体的に、袋本体３は、紙おむつ２が収容されるとき、高さ＜奥行き＜幅の関係を有する、すなわち底面が幅広で高さの低い略直方形状となるように設計されている。また、側面部３ｃ，３ｄには、前面部３ａから背面部３ｂに亘って袋本体３を構成するシート体１１を接合した接合部１０，１０が設けられている。シート体１１は、熱溶着、超音波溶着、接着剤等で接合されている。
【００１６】
略直方体をなす袋本体３は、上面部３ｅと側面部３ｂ，３ｃとがなす短辺のコーナ部に、内側に落ち込んだ袋状のガセット部４ａ，４ｂが形成されている。図３に示すように、このガセット部４ａ，４ｂは、内側のシート体が一重であり、外側のシート体が二重になっている。一方のガセット部４ａには、長尺のポリエチレン、ポリプロピレン等の可撓性シートの両端を、ガセット部４ａの外側のシート体に熱溶着、超音波溶着、接着剤等で固定した手提げ部５が設けられている。具体的に、手提げ部５の両端部５ａ，５ａは、接合部１０を挟んだ両側に固定され、更に、手提げ部５の両端部５ａ，５ａは、袋本体３に収容された紙おむつ２の荷重が加わる部分であるから、シート体１１が二重となり強度のあるガセット部４ａの外側の面に固定されている。この手提げ部５は、接続部分をガセット部４ａ内に設けるようにして見栄えが悪くならないようにしている。
【００１７】
なお、手提げ部５は、両方のガセット部４ａ，４ｂに設けてもよいが、ここでは、一方のガセット部４ａのみに設けている。
【００１８】
この袋本体３の上面部３ｅには、従来のように、外周に、リップ部は設けられておらず、このリップ部に手提げ部も設けられていない。したがって、この袋本体３の上面部３ｅは、従来と異なり、略平面であり、上面部３ｅに塵埃等がたまりにくく、更に、包装袋１を安定して積み上げることができるようになっている。
【００１９】
袋本体３の上面部３ｅには、外周部に沿うように環状のミシン目６が形成され、このミシン目の内側に、収容物である紙おむつ２を取り出すための取出口７を形成する切取部８が形成されている。この切取部８には、ミシン目６によって内側に窪んだ引起し部９が形成されている。この切取部８は、引起し部９を袋本体３内に向かって押圧することで指の挿入穴を形成し、次いで、挿入穴に挿入した指で切取部８を引き起こすことで、ミシン目６に沿って袋本体３の上面部３ｅから切り取られる。これにより、上面部３ｅには、紙おむつ２の取出口７が形成され、ユーザは、この取出口７から収容された紙おむつ２を取り出すことができる。
【００２０】
また、この引起し部９は、手提げ部５側に設けられている。切取部８は、図２に示すように、引起し部９側から側面部３ｄ側に向かって引き起こされるものであり、ユーザは、開封時、内部に塵埃等が浸入しないようにするため、取出口７を全開にすることなく、切取部８を残しておくことがある。この場合、ユーザは、切取部８の一部を引き起こすことにより開口された取出口７の一部より使い捨ておむつ２を１枚又は複数枚づつ取り出すことになり、袋本体３内には、使い捨ておむつ２が取り出されることにより少しづつ空隙が形成される。そして、袋本体３内で整列されている使い捨ておむつ２は、徐々に袋本体３内で散らばることになる。包装袋１は、手提げ部５を用いてユーザが持ち上げたとき、引起し部９側に形成された取出口７の一部となる開口部は、上側に位置する。したがって、袋本体３内の使い捨ておむつ２は、自重により下側に寄せられることになり、取出口７の一部となる開口部より外部にこぼれることを防止することができる。
【００２１】
なお、取出口７を形成するミシン目６のパターンは、これに限定されるものではなく、例えば外周のミシン目６を横断又は縦断するミシン目を更に設け、このミシン目を介した両側を互いに離間する方向に引っ張るようにして、切取部８を取り除き、取出口７を設けるようにしてもよい。
【００２２】
この袋本体３は、底面部３ｆが袋本体３に紙おむつ２を収容する挿入側となっており、この底面部３ｆ側の挿入口１４より折り畳まれた紙おむつ２が積層された状態で袋本体３内に収容される。袋本体３に紙おむつ２が収容された後、挿入口１４は、袋本体３の側面部３ｃ，３ｄを内側に折り曲げ、次いで、前面部３ａ、３ｂを内側に折り曲げ、折り曲げた各面のシートの先端を溶着等で一体に接合することにより閉塞され、略平坦な袋本体３の底面部３ｆを形成する。
【００２３】
以上のような包装袋１の製造方法について説明すると、図４に示すように、製造ラインにおいて、包装袋１を構成する連続した長尺のシート体１１は、２つ折りにする際に、折り曲げ部に、主として袋本体３の上面部３ｅを構成する谷部１２を設けるように折り曲げられる。また、谷部１２を介した一方の主面部１１ａは、袋本体３の前面部３ａ、側面部３ｃ，３ｄ及び底面部３ｆの一部を構成し、他方の主面部１１ｂは、袋本体３の背面部３ｂ、側面部３ｃ，３ｄ及び底面部３ｆの一部を構成する。また、原反より送り出されたシート体１１の谷部１２には、取出口７を形成するためのミシン目６が所定位置に設けられている。
【００２４】
次いで、この谷部１２の内側の面となる第１の面１２ａと第２の面１２ｂには、袋本体３の幅方向の一方の端部近傍となる位置に、手提げ部５の端部５ａ，５ａが熱溶着、超音波溶着等で固定される。手提げ部５の端部５ａ，５ａは、谷部１２で重畳した内側のシート体１３ａ、外側のシート体１３ｂの両方の所定位置に溶着、接着剤等で固定される。このように、手提げ部５は、谷部１２を跨ぐように取り付けられ、更に、手提げ部５の端部５ａ，５ａは、内側のシート体１３ａ、外側のシート体１３ｂの両方と一体的に接合されることで、接続部分の強度が高められている。
【００２５】
次いで、手提げ部５が取り付けられたシート体１１は、図５に示すように、手提げ部５の接続部分の近傍であってこの接続部分の一方の側、すなわち袋本体３の外側の位置の切断線Ｌの両側が熱溶着、超音波溶着、接着剤等によって一体的に接合され、袋本体３の両側に接合部１０，１０が形成される。次いで、互いに隣り合う袋本体３の一方の接合部１０，１０に挟まれた切断線Ｌで袋本体３毎に切断される。
なお、以上の例とは逆に、シート体１１を接合固定した後に手提げ部５を固定するようにしてもよい。
【００２６】
なお、従来の収納袋では、上面部３ｅに上側に立ち上がったリップ部を設けることから、主面部１１ａ，１１ｂと谷部１２とで構成される２つの折り曲げ部を溶着するが、本発明を適用した収納袋１では、リップ部を設けないことから、この溶着工程を行う必要が無く、この点で製造工程を削減することができる。
【００２７】
以上のように形成された袋本体３は、図５中上側は閉塞され、下側が開放され、紙おむつ２の挿入口１４となる。そして、この挿入口１４からは、折り畳まれた紙おむつ２が、圧縮された後、袋本体３の幅方向に積層された状態で収納される。すると、図１及び図３に示すように、谷部１２は、外側に開き、平坦な袋本体３の上面部３ｅを形成すると共に、上面部３ｅの相対向する端部に、上面部３ｅより落ち込んだガセット部４ａ，４ｂを形成する。また、谷部１２を介した一方の主面部１１ａは、袋本体３の前面部３ａ、側面部３ｃ，３ｄ及び底面部３ｆの一部を構成し、他方の主面部１１ｂは、袋本体３の背面部３ｂ、側面部３ｃ，３ｄ及び底面部３ｆの一部を構成する。この後、挿入口１４は、袋本体３の側面部３ｃ，３ｄを内側に折り曲げ、次いで、前面部３ａ、３ｂを内側に折り曲げ、折り曲げた各面のシートの先端を溶着等で一体に接合することにより閉塞され、袋本体３には、底面部３ｆが形成される。圧縮された紙おむつ２が収容されることで、包装袋１の各面３ａ〜３ｆは、収容した紙おむつ２の復元力によって緊張し、略平坦となり、包装袋１は、底面が幅広で高さの低い略直方形状となる。
【００２８】
以上のような包装袋１は、上面部３ｅが平坦に形成されていることから、従来のように上面部３ｅに塵埃等がたまることを防止することができる。また、この包装袋１は、従来のように上面部３ｅに手提げ部５を取り付けるためのリップ部が設けられていないことから、資材コストの削減を図ることができる。この包装袋１は、リップ部が設けられない代わりに、手提げ部５が一方のガセット部４ａに固定される。このとき、手提げ部５の端部５ａ，５ａは、ガセット部４ａ内で固定されることから見栄えが悪くなることを防止することができる。更に、手提げ部５の端部５ａ，５ａは、ガセット部４ａ内のシート体１１が二重で強度のある外側に固定されていることから、接合部分の強度も十分確保することができる。
【００２９】
ところで、図６に示すように、この包装袋１は、２個を一度に持ち運ぶとき、上面部３ｅを突き合わせることで、手提げ部５を近接して位置させることができ、更に、リップ部が設けられていない平坦な上面部３ｅが突き合わされることで、姿勢が安定し、２個の包装袋１を容易に、例えば片手で持ち運ぶことができる。また、２つの包装袋１は、取出口７が設けられた上面部３ｅが突き合わされることで、使いかけの状態、すなわち切取部８が切り取られ取出口７が開放された状態でも、互いの取出口７，７が閉塞されることになり、運搬時に開放された取出口７より収容された紙おむつ２がこぼれることを防止することができる。
【００３０】
なお、３個、４個の包装袋１を一度に運ぶときには、相対向して突き合わされた２つの包装袋１の上面部３ｅ，３ｅの突き合わせ部に、更に、３個目、４個目の包装袋１の上面部３ｅ，３ｅを突き合わせ、略十字のようにして持ち運ぶことができる。これにより、３個目や４個目の包装袋１の手提げ部５を１個目及び２個目の包装袋１の手提げ部５に近接して位置させることができ、更に、３個目や４個目の包装袋１の上面部３ｅを１個目及び２個目の包装袋１の前面部３ａや背面部３ｂに突き合わせ姿勢を安定させることができ、３個や４個の包装袋１を容易に、例えば片手で持ち運ぶことができる。更に、３個目や４個目の包装袋１が使いかけの状態であっても、３個目や４個目の包装袋１の上面部３ｅの取出口７は、１個目や２個目の包装袋１の前面部３ａや背面部３ｂにより閉塞されることから、運搬時に開放された取出口７より収容された紙おむつ２がこぼれることを防止することができる。
【００３１】
また、図７に示すように、倉庫や店頭において保管展示するとき、包装袋１は、側面部３ｃを正面にし、上面部３ｅを上側にして積み上げることができる。個々の包装袋１は、上述のように上面部３ｅに上側に立ち上がったリップ部が設けられておらず、上面部３ｅは、略平坦である。したがって、包装袋１は、下側に位置する包装袋１の上面部３ｅに新たな包装袋１の底面部３ｆを突き合わせるようにして、安定した状態で積み上げることができる。
【００３２】
かくして積み上げられた包装袋１は、側面部３ｃを正面にして積み上げられ、正面に各包装袋１の手提げ部５が臨むことになる。したがって、購入者等のユーザは、図７中矢印Ｄ方向に引き抜くようにして、包装袋１の集合体より一又は複数の包装袋１を引き抜くことができる。このとき、包装袋１は、上述のように上面部３ｅに上側に立ち上がったリップ部が設けられていないことから、円滑に所望の包装袋１をスライドさせるように引き抜くことができる。
【００３３】
なお、以上の例では、紙おむつ２を収納する包装袋１を説明したが、本発明は、圧縮体であれば特に限定されるものではなく、衛生・生理用品等であってもよい。また、包装袋１に収納される圧縮物は、上述のように複数ではなく、単数であってもよい。
【図面の簡単な説明】
【００３４】
【図１】本発明を適用したおむつの包装袋の斜視図である。
【図２】本発明を適用した包装袋であっておむつの取出口が開放された状態を示す斜視図である。
【図３】本発明を適用した包装袋の一方のガセット部を示す要部断面図である。
【図４】本発明を適用したシート体が折り曲げられ、手提げ部が取り付けられた状態を示す斜視図である。
【図５】手提げ部が取り付けられるシート体が一の包装袋毎に切断される状態を説明図である。
【図６】本発明を適用した包装袋を複数個持ち運ぶときの状態を示す斜視図である。
【図７】本発明を適用した包装袋が積み上げられた状態を示す斜視図である。
【符号の説明】
【００３５】
１  包装袋、２  紙おむつ、３  袋本体、３ａ  前面部、３ｂ  背面部、３ｃ，３ｄ  側面部、３ｅ  上面部、３ｆ  底面部、４ａ，４ｂ  ガセット部、５  手提げ部、５ａ  端部、６  ミシン目、７  取出口、８  切取部、９  引起し部、１０  接合部、１１  接合部、１１ａ，１１ｂ  主面部、１２  谷部、１３ａ  内側のシート体、１３ｂ  外側のシート体、１４  挿入口
【図１】
2005132433.tif 000003
【図２】
2005132433.tif 000004
【図３】
2005132433.tif 000005
【図４】
2005132433.tif 000006
【図５】
2005132433.tif 000007
【図６】
2005132433.tif 000008
【図７】
2005132433.tif 000009